(57)【要約】【課題】  容器本体の取付機構に対する搬送部品の取付作業の作業性を向上させ、取付機構から搬送部品が外れ易くなるおそれを排除し、取付機構や搬送部品に洗浄水等の液体が残存するのを抑制できる基板収納容器を提供する。【解決手段】  半導体ウェーハ収納用の容器本体１の天井２に取付機構２０を設け、取付機構２０に搬送部品３０であるロボティックフランジ３１を着脱自在に装着する基板収納容器であり、取付機構２０は、天井２に対設される複数対の支持レール２１と、天井２に設けられる複数のガイド片２３と、各ガイド片２３に形成される干渉係合部２４とを備え、ガイド片２３と干渉係合部２４を組み合わせてその前部を二股部２５に形成する。また、搬送部品３０は、複数対の支持レール２１間に支持される部品本体３２を備え、部品本体３２に、流体用の流通口３６を穿孔するとともに、二股部２５に干渉する弾性変形可能な弾性係合片３５を内蔵する。【選択図】  図３
2011181867.tif 000002
【特許請求の範囲】
【請求項１】
基板を収納する容器本体に取付機構を設け、この取付機構に搬送部品を着脱自在に取り付けるようにした基板収納容器であって、
取付機構は、容器本体の周壁に設けられる支持レール部と、容器本体の周壁に設けられるガイド片と、このガイド片に形成される干渉係合部とを含み、ガイド片と干渉係合部とを組み合わせてその前部を二股部に形成し、
搬送部品は、取付機構の支持レール部に支持される部品本体を備え、この部品本体に、流体用の流通口を設けるとともに、取付機構のガイド片に案内される弾性係合片を設け、この弾性係合片を取付機構のガイド片と干渉係合部との二股部に干渉させるようにしたことを特徴とする基板収納容器。
【請求項２】
取付機構は、容器本体の周壁に設けられ、搬送部品に引っかかるストッパを含んでなる請求項１記載の基板収納容器。
【請求項３】
容器本体を正面の開口したフロントオープンボックスに形成し、取付機構のガイド片を容器本体の前後方向に向けてその側面には干渉係合部を形成するとともに、ガイド片を容器本体の前後方向に交差する方向に傾斜させ、搬送部品の弾性係合片に、取付機構のガイド片に接触して撓む可撓性を付与し、この弾性係合片には、取付機構の干渉係合部に干渉する突部を形成した請求項１又は２記載の基板収納容器。
【請求項４】
取付機構の支持レール部を複数にして対向させ、この対向する複数の支持レール部を、容器本体の後方から前方に向かうに従い支持レール部間の距離が短くなるようそれぞれ傾斜させ、取付機構のガイド片を複数の支持レール部間に設けて容器本体の左右方向の中心線に向けて傾斜させ、
搬送部品の部品本体を中空に形成してその内部には弾性係合片を内蔵し、部品本体の両側部に、取付機構の複数の支持レール部に挟み持たれる被挟持板をそれぞれ形成して各被挟持板の側面を支持レール部の傾斜に沿うよう傾斜させ、部品本体の上部にフランジを形成するとともに、このフランジには、弾性係合片を露出させる操作孔を設け、複数の被挟持板とフランジの少なくともいずれかに流体用の流通口を設けた請求項３記載の基板収納容器。
【請求項５】
取付機構の支持レール部を複数にして対向させ、この対向する複数の支持レール部を、容器本体の後方から前方に向かうに従い支持レール部間の距離が短くなるようそれぞれ傾斜させ、取付機構のガイド片を複数の支持レール部間に設けて容器本体の上下方向に傾斜させ、
搬送部品の部品本体を略台形の板に形成してその両側面を支持レール部の傾斜に沿うよう傾斜させ、部品本体の裏面には弾性係合片を形成し、部品本体に、弾性係合片を露出させる操作孔を設けた請求項３記載の基板収納容器。
【請求項６】
部品本体と被挟持板の少なくともいずれか一方の裏面に、容器本体の周壁との間に隙間を区画する凹凸部を形成し、
部品本体に、取付機構のガイド片との接触に伴う弾性係合片の過剰な変形を規制する変形規制部を形成した請求項４又は５記載の基板収納容器。
【発明の詳細な説明】
【技術分野】
【０００１】
本発明は、半導体ウェーハ、ガラスウェーハ、マスクガラス等からなる基板を収納、保管、搬送、輸送等する際に使用される基板収納容器に関するものである。
【背景技術】
【０００２】
従来の基板収納容器は、図示しないが、複数枚の半導体ウェーハを上下に並べて整列収納するフロントオープンボックスの容器本体と、この容器本体の開口した正面を開閉する蓋体とを備え、容器本体に取付機構が設けられ、この取付機構に搬送用の搬送部品が着脱自在に装着されており、半導体ウェーハの収納、保管、搬送、輸送に使用されている（特許文献１、２参照）。
【０００３】
取付機構は、容器本体の周壁、具体的には容器本体の天井と両側壁とにそれぞれ一体形成されている。この取付機構は、容器本体の周壁に対設されて相対向する一対の支持レールを備え、この一対の支持レールの近傍に搬送部品用の係合部と係合リブとがそれぞれ形成されている。このような取付機構は、一対の支持レールが搬送部品を挟持し、係合部と係合リブとが挟持された搬送部品に係合して固定する。
【０００４】
搬送部品は、容器本体の天井に取付機構を介し着脱自在に装着されて搬送装置に把持されるロボティックフランジと、容器本体の両側壁に取付機構を介しそれぞれ着脱自在に装着されて手動操作される一対のマニュアルハンドルとを備えている。この搬送部品は、半導体ウェーハを満載した重い基板収納容器（半導体ウェーハの満載時には、約７ｋｇの質量）を確実に支持する観点から高剛性を有するポリカーボネート等により成形されている。
【０００５】
搬送部品は、例えば取付機構の一対の支持レールに挟持される板形の基体を備え、この基体に支柱が略垂直に突出形成されており、この支柱の端部に把持用のフランジや把持部が形成されている。搬送部品の基体には、取付機構の係合リブに変形して係合する戻り止め用のフック部が一体形成されている。
【先行技術文献】
【特許文献】
【０００６】
【特許文献１】特開２０００‐３０６９８８号公報
【特許文献２】特開２００８‐３４８７９号公報
【発明の概要】
【発明が解決しようとする課題】
【０００７】
従来における基板収納容器は、以上のように搬送部品が高剛性のポリカーボネート等の成形材料により成形され、搬送部品の基体に戻り止め用のフック部が一体形成されているので、フック部に高い弾性力を付与することができない。このため、取付機構の係合リブにフック部を係合する場合には、フック部に大きな外力を加えて無理に変形させ、係合しなければならず、作業性が悪いという問題がある。また、取付機構の係合リブからフック部を取り外す場合にも、フック部に外力を強く加えて無理に変形させなければならず、作業性の向上を図ることができないという問題がある。
【０００８】
また、複数回に亘ってフック部を取り付け取り外しすると、フック部が変形して十分な係合力を維持できず、係合リブからフック部が外れ易くなるおそれがある。また、係合リブとフック部との係合箇所が搬送部品の裏面側となる場合には、操作に支障を来たし、作業性や操作性の低下を招くこととなる。
【０００９】
さらに、基板収納容器の容器本体は、洗浄槽の洗浄水により洗浄して使用されたり、再使用されるが、取付機構の支持レール、係合部、係合リブが袋小路構造に構成されているので、洗浄水が残存し易く、しかも、乾燥用のエアの流通性も悪いので、乾燥に長時間を要することとなる。容器本体に洗浄水が残存すると、水滴跡が残ったり、容器本体を形成する成形材料から揮発性の有機ガスが生じて収納状態の半導体ウェーハに付着し、有機化合物塩を形成して汚染や腐食源になるおそれがある。
【００１０】
本発明は上記に鑑みなされたもので、容器本体の取付機構に対する搬送部品の取付作業の作業性を向上させ、取付機構から搬送部品が外れ易くなるおそれを排除し、取付機構や搬送部品に洗浄水等の液体が残存するのを抑制できる基板収納容器を提供することを目的としている。
【課題を解決するための手段】
【００１１】
本発明においては上記課題を解決するため、基板を収納する容器本体に取付機構を設け、この取付機構に搬送部品を着脱自在に取り付けるようにしたものであって、
取付機構は、容器本体の周壁に設けられる支持レール部と、容器本体の周壁に設けられるガイド片と、このガイド片に形成される干渉係合部とを含み、ガイド片と干渉係合部とを組み合わせてその前部を二股部に形成し、
搬送部品は、取付機構の支持レール部に支持される部品本体を備え、この部品本体に、流体用の流通口を設けるとともに、取付機構のガイド片に案内される弾性係合片を設け、この弾性係合片を取付機構のガイド片と干渉係合部との二股部に干渉させるようにしたことを特徴としている。
【００１２】
なお、取付機構には、容器本体の周壁に設けられ、搬送部品に引っかかるストッパを備えると良い。
また、容器本体を正面の開口したフロントオープンボックスに形成し、取付機構のガイド片を容器本体の前後方向に向けてその側面には干渉係合部を形成するとともに、ガイド片を容器本体の前後方向に交差する方向に傾斜させ、搬送部品の弾性係合片に、取付機構のガイド片に接触して撓む可撓性を付与し、この弾性係合片には、取付機構の干渉係合部に干渉する突部を形成することができる。
【００１３】
また、取付機構の支持レール部を複数にして対向させ、この対向する複数の支持レール部を、容器本体の後方から前方に向かうに従い支持レール部間の距離が短くなるようそれぞれ傾斜させ、取付機構のガイド片を複数の支持レール部間に設けて容器本体の左右方向の中心線に向けて傾斜させ、
搬送部品の部品本体を中空に形成してその内部には弾性係合片を内蔵し、部品本体の両側部に、取付機構の複数の支持レール部に挟み持たれる被挟持板をそれぞれ形成して各被挟持板の側面を支持レール部の傾斜に沿うよう傾斜させ、部品本体の上部にフランジを形成するとともに、このフランジには、弾性係合片を露出させる操作孔を設け、複数の被挟持板とフランジの少なくともいずれかに流体用の流通口を設けることができる。
【００１４】
また、取付機構の支持レール部を複数にして対向させ、この対向する複数の支持レール部を、容器本体の後方から前方に向かうに従い支持レール部間の距離が短くなるようそれぞれ傾斜させ、取付機構のガイド片を複数の支持レール部間に設けて容器本体の上下方向に傾斜させ、
搬送部品の部品本体を略台形の板に形成してその両側面を支持レール部の傾斜に沿うよう傾斜させ、部品本体の裏面には弾性係合片を形成し、部品本体に、弾性係合片を露出させる操作孔を設けることができる。
【００１５】
さらに、部品本体と被挟持板の少なくともいずれか一方の裏面に、容器本体の周壁との間に隙間を区画する凹凸部を形成し、
部品本体に、取付機構のガイド片との接触に伴う弾性係合片の過剰な変形を規制する変形規制部を形成することが可能である。
【００１６】
ここで、特許請求の範囲における基板には、少なくとも単数複数の半導体ウェーハ、ガラスウェーハ、マスクガラス等が含まれる。容器本体は、透明、不透明、半透明等を特に問うものではない。この容器本体の周壁には、少なくとも容器本体の天井、背面壁、側壁等が含まれる。また、取付機構のガイド片と干渉係合部とは、例えば平面略Ｙ字形、λ字形、ν字形、これらに類似する形に組み合わされる。ガイド片は、支持レール部の近傍や周辺に設けることができる。
【００１７】
搬送部品には、少なくとも容器本体の天井に着脱自在に取り付けられて搬送装置に把持されるロボティックフランジ、容器本体の側壁に着脱自在に取り付けられて手動操作されるマニュアルハンドル、容器本体の側壁下部に着脱自在に取り付けられて搬送時に使用されるサイドレール等が含まれる。
【００１８】
搬送部品の部品本体には、弾性係合片を補強リブを介して設け、この補強リブと弾性係合片とを隙間を介して対向させ、補強リブにより弾性係合片の過剰な撓みを規制することができる。部品本体には、単数複数の流通口や弾性係合片を設けることができる。さらに、流体には、少なくとも各種の液体（例えば、洗浄液や純水等）や気体（例えば、エアや不活性ガス等）が含まれる。
【００１９】
本発明によれば、容器本体の周壁の取付機構に搬送部品を取り付ける場合には、取付機構の支持レール部に搬送部品を支持させる。この際、取付機構のガイド片に搬送部品の弾性係合片が接触して案内され、弾性係合片がガイド片と干渉係合部との二股部、すなわち干渉係合部に干渉する。干渉係合部に弾性係合片が干渉すると、弾性係合片が元の状態に復元し、容器本体の取付機構に搬送部品を取り付けることができる。
また、部品本体の流通口は、液体や気体等からなる流体が使用される際、この流体を部品本体の内外に円滑に流通させ、搬送部品の洗浄や乾燥作業の作業性を向上させる。
【発明の効果】
【００２０】
本発明によれば、容器本体の取付機構に対する搬送部品の取付作業の作業性を向上させ、取付機構から搬送部品が外れ易くなるおそれを排除することができるという効果がある。また、取付機構や搬送部品に洗浄水等の液体が残存するのを抑制することができる。
【００２１】
また、請求項２記載の発明によれば、ストッパが搬送部品に接触して引っかかるので、容器本体に対する搬送部品の過剰なスライドや位置ずれ、ガタツキ等を有効に防ぐことができる。
また、請求項３記載の発明によれば、取付機構の傾斜したガイド片に搬送部品の弾性係合片を接触させ、この弾性係合片を変形させながら適切に案内することができる。また、弾性係合片が撓んで変形した後、弾性係合片がその反力によりガイド片を通過してガイド片と干渉係合部との二股部に突部を干渉させるので、容器本体の周壁に搬送部品を強固に取り付けることができる。
【００２２】
また、請求項４又は５記載の発明によれば、取付機構の複数の支持レール部が容器本体の前後方向に傾斜するので、容器本体に対する搬送部品の位置ずれやガタツキを簡易な構成で防ぐことができ、所定の箇所に搬送部品を適切にスライドさせることが可能になる。また、搬送部品や被挟持板の側面が支持レールの傾斜に対応して傾斜するので、搬送部品をセットする際の向きを間違えることが少ない。また、フランジや部品本体に、弾性係合片を露出させる操作孔を設けるので、弾性係合片の位置にかかわらず、弾性係合片を容易に操作することができる。
【００２３】
また、請求項６記載の発明によれば、凹凸部が区画する隙間を流体が滞留することなく、滑らかに流通するので、搬送部品に洗浄水等の液体が残存するのを抑制することが可能になる。さらに、変形規制部により、弾性係合片が過剰に変形して損傷したり、弾性係合片が過度に変形して十分な係合力を維持できなくなるおそれを有効に防止することが可能になる。
【図面の簡単な説明】
【００２４】
【図１】本発明に係る基板収納容器の実施形態を模式的に示す全体斜視説明図である。
【図２】本発明に係る基板収納容器の実施形態における取付機構を模式的に示す平面説明図である。
【図３】本発明に係る基板収納容器の実施形態における取付機構と搬送部品とを模式的に示す平面説明図である。
【図４】本発明に係る基板収納容器の実施形態における取付機構とロボティックフランジとを斜め後方から模式的に示す斜視説明図である。
【図５】本発明に係る基板収納容器の実施形態における取付機構とロボティックフランジとを模式的に示す断面説明図である。
【図６】本発明に係る基板収納容器の実施形態におけるロボティックフランジを模式的に示す斜視説明図である。
【図７】本発明に係る基板収納容器の実施形態におけるロボティックフランジを裏面側から模式的に示す斜視説明図である。
【図８】本発明に係る基板収納容器の実施形態におけるロボティックフランジを模式的に示す断面側面図である。
【図９】本発明に係る基板収納容器の実施形態における取付機構のガイド片及び干渉係合部とロボティックフランジの弾性係合片との関係を模式的に示す説明図である。
【図１０】本発明に係る基板収納容器の第２の実施形態を模式的に示す側面説明図である。
【発明を実施するための形態】
【００２５】
以下、図面を参照して本発明の実施形態を説明すると、本実施形態における基板収納容器は、図１ないし図９に示すように、半導体ウェーハを収納する容器本体１と、この容器本体１の開口した正面を開閉する着脱自在の蓋体１０とを備え、容器本体１の周壁に取付機構２０を設け、この取付機構２０に搬送用の搬送部品３０を着脱自在に装着するようにしている。
【００２６】
半導体ウェーハは、例えばφ３００ｍｍのシリコンウェーハからなり、容器本体１内に複数枚が上下に並べて整列収納されたり、専用のハンドリングロボットにより順次取り出される。
【００２７】
容器本体１と蓋体１０とは、所定の樹脂を含有する成形材料により複数の部品がそれぞれ射出成形され、この複数の部品の組み合わせで構成される。この成形材料中の所定の樹脂としては、例えば力学的性質や耐熱性等に優れるポリカーボネート、ポリエーテルエーテルケトン、ポリエーテルイミド、ポリブチレンテレフタレート、ポリアセタール、液晶ポリマー、あるいは環状オレフィン樹脂等があげられる。所定の樹脂には、カーボン、カーボン繊維、金属繊維、カーボンナノチューブ、導電性ポリマー、帯電防止剤、又は難燃剤等が必要に応じて選択的に添加される。
【００２８】
容器本体１は、図１や図２に示すように、正面の開口したフロントオープンボックスに成形され、天井２が上下方向にやや傾斜しており、半導体ウェーハの加工装置に付設されたロードポート装置上に位置決め搭載される。この容器本体１は、内部の両側、すなわち、両側壁３の内面に、半導体ウェーハを水平に支持する左右一対の支持片が対設され、この一対の支持片が容器本体１の上下方向に所定の間隔で配列される。
【００２９】
容器本体１の底板の前部両側と後部中央とには、基板収納容器、具体的には容器本体１を位置決めする位置決め具がそれぞれ装着される。容器本体１の底板には、センシングや固定に供されるボトムプレートが装着され、このボトムプレートが複数の位置決め具をそれぞれ露出させる。また、容器本体１の両側壁３の外面には、指等を干渉させることのできるマニュアルハンドル４がそれぞれ前後方向に傾けて伸長形成される。
【００３０】
蓋体１０は、図１に示すように、容器本体１の開口した正面内に嵌合する横長の筐体と、この筐体の開口した正面を被覆する表面プレート１１と、これら筐体と表面プレート１１との間に介在される施錠機構１３とを備えて構成される。この蓋体１０の筐体は、基本的には枠形の周壁を備えた浅底の断面略皿形に形成され、周壁の上下両側部には、施錠機構１３用の貫通孔がそれぞれ穿孔されており、各貫通孔が容器本体１の正面内周の係止穴に対向する。
【００３１】
筐体の裏面には、半導体ウェーハを弾発的に保持するフロントリテーナが着脱自在に装着される。このフロントリテーナは、蓋体１０の変形を防止する縦長の枠体を備え、この枠体の左右一対の縦桟部には、傾斜しながら内方向に伸びる複数の弾性片が上下に並べて一体形成され、各弾性片には、半導体ウェーハの前部周縁をＵ字溝又はＶ溝により保持する小さな保持ブロックが一体形成される。
【００３２】
筐体の裏面周縁部には枠形の嵌合溝が形成され、この嵌合溝には、容器本体１の正面内周に圧接するガスケットが密嵌される。このガスケットは、例えば耐熱性や耐候性等に優れるフッ素ゴム、シリコーンゴム、各種の熱可塑性エラストマー（例えば、オレフィン系、ポリエステル系、ポリスチレン系等）等を成形材料として弾性変形可能な枠形に成形される。
【００３３】
表面プレート１１は、筐体の開口した正面に対応するよう横長の平板に形成され、左右両側部には、施錠機構１３用の操作口１２がそれぞれ穿孔される。また、施錠機構１３は、表面プレート１１の操作口１２を貫通したロードポート装置の操作ピンに回転操作される左右一対の回転プレート１４と、各回転プレート１４の回転に伴い上下方向にスライドする複数のスライドプレートと、各スライドプレートのスライドに伴い筐体の貫通孔から突出して容器本体１の係止穴に係止する複数の係止爪とを備えて構成され、フロントリテーナの前方に位置する。
【００３４】
取付機構２０は、容器本体１の周壁、具体的には容器本体１の天井２や側壁３に一体的に配設されるが、本実施形態では容器本体１の天井２に配設される場合について説明する。この場合の取付機構２０は、例えば容器本体１や蓋体１０と同様の成形材料により成形される。
【００３５】
取付機構２０は、図１ないし図５、図８や図９に示すように、容器本体１の天井２表面の両側部に配設されて相対向する左右一対の支持レール２１を複数並べ備え、この複数対の支持レール２１間に搬送部品３０が着脱自在に支持される。この複数対の支持レール２１は、一対の支持レール２１と一対の支持レール２１とが容器本体１の天井２の表面中央部を介し横一列に配列される。
【００３６】
各一対の支持レール２１は、容器本体１の後方（図２の下側）から前方（図２の上側）に向かうに従い支持レール２１と支持レール２１との間の幅が徐々に狭まるよう傾斜して対設され、各支持レール２１が容器本体１の前後方向に直線的に伸びる断面略Ｌ字形に屈曲形成される。
【００３７】
複数対の支持レール２１のうち、最両側の支持レール２１の前部間に位置する容器本体１の天井２には、搬送部品３０に係止する断面略Ｌ字形のストッパ２２が間隔をおいて複数形成され、この複数のストッパ２２間に位置する容器本体１の天井２には、容器本体１の前方に伸びる左右一対のガイド片２３が間隔をおいて配列形成されており、各ガイド片２３の外側面前部には干渉係合部２４が一体形成される。
【００３８】
ガイド片２３と干渉係合部２４とは、前部が二股部２５のやや変形した平面略Ｙ字形に組み合わされ、ガイド片２３が容器本体１の前後方向に交差する方向、換言すれば、容器本体１の左右方向の中心線、より具体的には、干渉係合部２４とは反対の方向に向け徐々に傾斜する。干渉係合部２４は、ガイド片２３よりも短く形成され、ガイド片２３よりも容器本体１の前方に向け屈曲して伸長されており、ガイド片２３の先端部から徐々に離隔する。
【００３９】
二股部２５は、特に限定されるものではないが、図９に示すように、搬送部品３０が係止した後に簡単に挿入方向に抜けてしまうのを防止する観点から、挿入方向に傾斜したり、窪み形成等されることが好ましい。このように二股部２５が形成されることで、衝撃に伴う搬送部品３０の予期せぬ脱落を防止することができる。
【００４０】
搬送部品３０は、ロボティックフランジ３１、左右一対のマニュアルハンドル４、左右一対のサイドレール等が適宜選択されるが、本実施形態では、容器本体１の天井２中央部に着脱自在に装着されて天井搬送装置に把持されるロボティックフランジ３１について説明する。このロボティックフランジ３１は、半導体ウェーハを満載した重い基板収納容器を確実に支持する観点から、容器本体１、蓋体１０、取付機構２０と同様の成形材料により成形される。
【００４１】
ロボティックフランジ３１は、図１、図３ないし図９に示すように、取付機構２０の複数対の支持レール２１間にスライドして配置される平面略中空枠形の部品本体３２を備え、この部品本体３２の下端部両側から一対の支持レール２１にそれぞれ挟持される左右一対の被挟持板４０が水平方向に伸長しており、部品本体３２の開口した上端部には、天井搬送装置に把持されるフランジ４４が水平に一体形成される。
【００４２】
部品本体３２は、前後左右に周壁３３を備えてその内部にはフランジ４４と一体化して強度を確保する複数の補強リブ３４が前後左右に並べて配設され、この複数の補強リブ３４のうち、容器本体１の前方側に位置する左右一対の補強リブ３４には、前方に伸長して取付機構２０のガイド片２３や干渉係合部２４に干渉する弾性変形可能な弾性係合片３５がそれぞれ一体形成される。この部品本体３２の周壁３３には、部品本体３２の内外に流体、すなわち洗浄水やエア（図４の矢印参照）等を流通させる必要数の流通口３６が穿孔される。
【００４３】
各補強リブ３４は、部品本体３２の周壁隅部を跨ぐよう周壁内面間に一体的に架設される平面Ｌ字形に形成され、部品本体３２の周壁３３との間に平面略矩形の空間を区画する。この補強リブ３４は、部品本体３２の周壁３３よりも低く形成されて洗浄水やエアを流通させる隙間３７を区画形成し、この隙間３７と周壁３３の流通口３６を経由して洗浄水やエアが部品本体３２の内外を流通する。
【００４４】
各弾性係合片３５は、可撓性を有する直線的な略板形に形成されて側方の補強リブ３４に隙間をおいて対向し、先端下部に、取付機構２０のガイド片２３に案内されて二股部２５の干渉係合部２４に干渉する円柱形のロックピン３８が一体形成される。弾性係合片３５の上部には、上方に膨出する操作用の把持片３９が略半円形に一体形成される。
【００４５】
各被挟持板４０は、基本的には容器本体１の天井２表面に重なる平坦な板形に形成されてその両側面４１が支持レール２１の傾斜に沿うようそれぞれ徐々に傾斜し、容器本体１の後方から前方にスライドして支持レール２１に着脱自在に係合し、かつストッパ２２に嵌合係止して必要以上のスライドが規制される。この被挟持板４０は、洗浄水やエアを流通させる平面略トラック形の流通口４２が穿孔され、裏面の前部と両側部とには複数の凹凸部４３がそれぞれ配列形成されており、この複数の凹凸部４３が容器本体１の天井２との間に洗浄水やエアを流通させる複数の隙間を区画形成する。
【００４６】
なお、複数の凹凸部４３は、被挟持板４０の裏面の他、必要に応じ、部品本体３２の周壁３３の裏面等にも適宜形成される。
【００４７】
フランジ４４は、基本的には四隅部が面取りされた平面矩形に形成され、中央部に螺子止め用の凹部４５が形成されており、天井搬送装置にセンシングされたり、位置決めされる。凹部４５は、略円錐台形に形成されて複数の補強リブ３４の屈曲部付近と一体化し、中心部の厚さ方向に螺子孔４６が穿孔されており、この螺子孔４６にビス等からなる締結具が上方から螺貫して容器本体１の天井中央部の螺子穴５に螺挿されることにより、ロボティックフランジ３１が固定可能になる。
【００４８】
フランジ４４には、部品本体３２内に連通する複数の流通口４７と角孔４８とがそれぞれ並べて穿孔され、この複数の角孔４８のうち、容器本体１の前方側に位置する左右一対の角孔４８から弾性係合片３５がそれぞれ視認可能、操作可能に露出する。この露出する弾性係合片３５は、取付機構２０のガイド片２３との接触に伴い、ロボティックフランジ３１のスライド方向と直交する方向、すなわち容器本体１の左右方向に撓んで変形するが、角孔４８を区画する内側辺４９との距離Ｄが撓み量の範囲内となるよう調整される（図３参照）。
【００４９】
フランジ４４の部品本体３２の周壁３３から張り出す周縁部の前後左右には、位置決め用の複数のＶ溝５０が間隔をおいて配列形成される。また、フランジ４４の表面の前方と左右とには、複数の屈曲溝５１が間隔をおいて配列形成される。
【００５０】
上記構成において、容器本体１の取付機構２０に搬送部品３０であるロボティックフランジ３１を装着する場合には、容器本体１の天井２後方にロボティックフランジ３１を配置し、取付機構２０の複数対の支持レール２１間にロボティックフランジ３１の被挟持板４０をそれぞれ挟持させて容器本体１の前方にスライドさせ、各ストッパ２２にロボティックフランジ３１の被挟持板４０前部を係止してロボティックフランジ３１の上方への抜けを防止する。
【００５１】
この際、取付機構２０の複数対の支持レール２１が容器本体１の前後方向に傾斜しているので、容器本体１に対するロボティックフランジ３１の位置ずれやガタツキを簡易な構成で防止することができる。したがって、所定の箇所にロボティックフランジ３１を適切にスライドさせることができる。また、ロボティックフランジ３１の被挟持板４０の側面４１も支持レール２１の傾斜に対応して傾いているので、ロボティックフランジ３１をセットする際の向きを間違えることがない。
【００５２】
ロボティックフランジ３１が前方にスライドすると図９に示すように、取付機構２０の傾斜した一対のガイド片２３にロボティックフランジ３１の弾性係合片３５がそれぞれ摺接して案内され、一対の弾性係合片３５が相互に異なる方向、具体的には容器本体１の左右方向内側にそれぞれ撓んで変形した後、各弾性係合片３５がガイド片２３の前部を乗り越えてガイド片２３と干渉係合部２４との分岐した二股部２５、すなわち外側の干渉係合部２４にロックピン３８を干渉させる。
【００５３】
この際、容器本体１の内側に弾性係合片３５が過剰に大きく撓んで変形しようとすると、近接する補強リブ３４に接触してその変形が規制される（図７参照）ので、弾性係合片３５の過剰な変形に伴う損傷を有効に防止することができる。こうして各二股部２５の干渉係合部２４にロックピン３８が干渉して係合すると、撓んだ各弾性係合片３５が元の状態に復元し、容器本体１の取付機構２０にロボティックフランジ３１を強固に装着することができる。
【００５４】
次に、容器本体１の取付機構２０に装着したロボティックフランジ３１を取り外す場合には、ロボティックフランジ３１の角孔４８に上方から指を挿入して各弾性係合片３５の把持片３９を角孔４８の内側辺４９方向に押圧操作し、各弾性係合片３５を容器本体１の左右方向内側に撓ませて変形させ、干渉係合部２４とロックピン３８との干渉を解除する。
【００５５】
干渉係合部２４とロックピン３８との干渉を解除したら、ロボティックフランジ３１を容器本体１の後方にスライドさせ、複数対の支持レール２１とロボティックフランジ３１の被挟持板４０との挟持関係を解除すれば、容器本体１の取付機構２０からロボティックフランジ３１を取り外すことができる。
【００５６】
上記構成によれば、弾性係合片３５の把持片３９を角孔４８の内側辺４９方向に操作し、弾性係合片３５を容器本体１の左右方向内側に撓ませて変形させるだけで良いので、弾性係合片３５に大きな外力を加えて無理に変形させる必要が全くない。したがって、取付機構２０に対するロボティックフランジ３１の取り外し作業の作業性を著しく向上させることができる。
【００５７】
また、弾性係合片３５の撓み量が小さいので、複数回に亘って弾性係合片３５を取り付け取り外しても、弾性係合片３５が変形して外れ易くなるおそれを有効に排除することができる。また、角孔４８に指を挿入して弾性係合片３５の把持片３９を操作し、弾性係合片３５を撓ませるので、操作に支障を来たすことが実に少なく、作業性や操作性の低下を招くことがない。
【００５８】
また、ロボティックフランジ３１の部品本体３２、一対の被挟持板４０、フランジ４４に複数の流通口３６、４２、４７がそれぞれ穿孔されるとともに、各被挟持板４０に複数の凹凸部４３が形成されているので、例え基板収納容器の容器本体１が洗浄水により洗浄されても、洗浄水が残存したり、乾燥用のエアの流通性が低下することが非常に少ない。したがって、容器本体１を短時間で乾燥させることが可能になる。
【００５９】
さらに、容器本体１に洗浄水が残存することが非常に少ないので、水滴跡が残ったり、容器本体１の成形材料から揮発性の有機ガスが生じて半導体ウェーハに付着するのを抑制防止することができる。さらにまた、有機化合物塩の生成で汚染や腐食源になるおそれを排除することが可能になる。
【００６０】
次に、図１０は本発明の第２の実施形態を示すもので、この場合には、容器本体１の両側壁３の外面に取付機構２０とサイドレール５２とをそれぞれ上下に離して配設し、各取付機構２０に搬送部品３０としてマニュアルハンドル４を着脱自在に装着するようにしている。
【００６１】
各取付機構２０は、容器本体１の側壁３表面に配設されて相互に対向する上下一対の支持レール２１を備え、この一対の支持レール２１間に搬送部品３０が着脱自在に支持される。この一対の支持レール２１は、容器本体１の後方から前方に向かうに従い支持レール２１と支持レール２１との間の幅が徐々に狭まるよう傾斜して対設され、各支持レール２１が容器本体１の前後方向に直線的に伸びる断面略Ｌ字形に屈曲形成される。
【００６２】
一対の支持レール２１間に位置する容器本体１の側壁３表面には、容器本体１の前方に伸びるガイド片２３が間隔をおいて配列形成され、ガイド片２３の外側面前部には干渉係合部２４が一体形成される。ガイド片２３と干渉係合部２４とは、前部が二股部２５のやや変形した平面略Ｙ字形に組み合わされ、ガイド片２３が容器本体１の前後方向に交差する方向、換言すれば、干渉係合部２４とは反対の上下方向に向け徐々に傾斜する。
なお、容器本体１の各側壁３には、必要に応じ、マニュアルハンドル４の前部に係止する断面略Ｌ字形の複数のストッパ２２が間隔をおいて適宜形成される。
【００６３】
マニュアルハンドル４は、取付機構２０の一対の支持レール２１間に容器本体１の後方（図１０の右側）から前方にスライドして配置される平面略台形の部品本体５３を備え、この部品本体５３の裏面後部に弾性変形可能な弾性係合片３５が補強リブ３４を介して一体形成されており、この弾性係合片３５が前方に伸長して取付機構２０のガイド片２３や干渉係合部２４に干渉する。
【００６４】
部品本体５３は、例えば容器本体１の側壁３に対向する断面略ハット形の板に形成されてその両側面５４が支持レール２１の傾斜に沿うよう徐々に傾斜し、前部には、洗浄水やエアを流通させる流通口３６が穿孔されており、後部には、弾性係合片３５を視認可能、操作可能に露出させる角孔４８が穿孔される。この部品本体５３の表面の前後部には支柱部５５がそれぞれ配設され、この一対の支柱部５５間には握持用のグリップ５６が架設される。
【００６５】
部品本体５３の裏面の両側部等には複数の凹凸部４３がそれぞれ選択的に配列形成され、この複数の凹凸部４３が容器本体１の側壁３との間に洗浄水やエアを流通させる複数の隙間を区画形成する。また、弾性係合片３５は、可撓性を有する直線的な略板形に形成されて補強リブ３４に隙間をおいて対向し、先端下部に、取付機構２０のガイド片２３に案内されて干渉係合部２４に干渉する円柱形のロックピン３８が一体形成される。弾性係合片３５の上部には、膨出する操作用の把持片３９が選択的に形成される。
【００６６】
なお、補強リブ３４は、必要に応じ、部品本体５３の裏面後部に略井字形、略Ｉ字形、略Ｈ字形、略Ｌ字形、略Ｔ字形等に一体形成され、少なくとも一部が弾性係合片３５の側面に隙間を介して対向する。
【００６７】
上記構成において、容器本体１の取付機構２０に搬送部品３０であるマニュアルハンドル４を装着する場合には、容器本体１の側壁３後方にマニュアルハンドル４を配置し、取付機構２０の一対の支持レール２１間にマニュアルハンドル４の部品本体５３を挟持させて容器本体１の前方にスライドさせ、マニュアルハンドル４の脱落を防止する。
【００６８】
この際、取付機構２０の一対の支持レール２１が傾斜しているので、所定の箇所にマニュアルハンドル４を適切にスライドさせることができる。また、部品本体５３の両側面５４も支持レール２１の傾斜に対応して傾いているので、マニュアルハンドル４をセットする際の向きを間違えることがない。
【００６９】
マニュアルハンドル４が前方にスライドすると、取付機構２０の傾斜した一対のガイド片２３にマニュアルハンドル４の弾性係合片３５が摺接して案内され、弾性係合片３５が容器本体１の上下方向に撓んで変形した後、弾性係合片３５がガイド片２３の前部を乗り越えてガイド片２３と干渉係合部２４との二股部２５、すなわち干渉係合部２４にロックピン３８を干渉させる。
【００７０】
この際、弾性係合片３５が過剰に撓んで変形しようとすると、近接する補強リブ３４に接触してその変形が規制されるので、弾性係合片３５の過剰な変形に伴う損傷を有効に防止することができる。二股部２５の干渉係合部２４にロックピン３８が干渉すると、撓んだ弾性係合片３５が元の状態に復元し、容器本体１の取付機構２０にマニュアルハンドル４を強固に装着することができる。
【００７１】
次に、容器本体１の取付機構２０に装着したマニュアルハンドル４を取り外す場合には、マニュアルハンドル４の角孔４８に指を挿入して弾性係合片３５を操作し、弾性係合片３５を容器本体１の上下方向に撓ませて変形させ、干渉係合部２４とロックピン３８との干渉を解除する。
【００７２】
干渉係合部２４とロックピン３８との干渉を解除したら、マニュアルハンドル４を容器本体１の後方にスライドさせ、一対の支持レール２１とマニュアルハンドル４との挟持関係を解除すれば、容器本体１の取付機構２０からマニュアルハンドル４を取り外すことができる。その他の部分については、上記実施形態と略同様であるので説明を省略する。
本実施形態においても上記実施形態と同様の作用効果が期待でき、しかも、取付機構２０や搬送部品３０の構成の多様化を図ることができるのは明らかである。
【００７３】
なお、上記実施形態における容器本体１の両側壁３下部に取付機構２０をそれぞれ配設し、各取付機構２０に搬送部品３０としてサイドレール５２を着脱自在に装着しても良い。また、複数対の支持レール２１の間に位置する容器本体１の天井２表面に左右一対の嵌合溝を前後方向に切り欠き形成し、部品本体３２の周壁３３下端部に、天井２の各嵌合溝に嵌合する嵌合片を形成しても良い。また、上記実施形態では取付機構２０の支持レール２１を断面略Ｌ字形に形成したが、支持レール２１を断面略Ｊ字形や略Ｔ字形に屈曲形成しても良い。
【００７４】
また、取付機構２０の支持レール２１の数を１本にしたり、３本や４本等に適宜増加しても良い。また、容器本体１の天井２や側壁３に断面略Ｌ字形、略Ｊ字形、略Ｔ字形の溝を形成し、この溝を支持レール部とすることも可能である。これに対応させて搬送部品３０の部品本体３２、５３や被挟持板４０に凸部を突出形成し、この凸部を支持レール部に着脱自在に嵌合させることも可能である。また、搬送部品３０のロックピン３８が外れる方向に対して取付機構２０のガイド片２３を逆テーパ形に形成することもできる。さらに、搬送部品３０の部品本体３２、５３は、枠形や板形の他、リング形等に形成することができる。
【符号の説明】
【００７５】
１      容器本体
２      天井（周壁）
３      側壁（周壁）
４      マニュアルハンドル（搬送部品）
１０    蓋体
２０    取付機構
２１    支持レール（支持レール部）
２２    ストッパ
２３    ガイド片
２４    干渉係合部
２５    二股部
３０    搬送部品
３１    ロボティックフランジ（搬送部品）
３２    部品本体
３３    周壁
３４    補強リブ（変形規制部）
３５    弾性係合片
３６    流通口
３７    隙間
３８    ロックピン（突部）
３９    把持片
４０    被挟持板
４１    側面
４２    流通口
４３    凹凸部
４４    フランジ
４７    流通口
４８    角孔（操作孔）
４９    内側辺
５２    サイドレール（搬送部品）
５３    部品本体
５４    側面
【図１】
2011181867.tif 000003
【図２】
2011181867.tif 000004
【図３】
2011181867.tif 000005
【図４】
2011181867.tif 000006
【図５】
2011181867.tif 000007
【図６】
2011181867.tif 000008
【図７】
2011181867.tif 000009
【図８】
2011181867.tif 000010
【図９】
2011181867.tif 000011
【図１０】
2011181867.tif 000012